(57)【要約】【課題】媒体繰り出し装置において、構造を簡素化する。【解決手段】媒体繰り出し装置１は、媒体１００を収容する媒体収容部と、この媒体収容部から媒体１００を繰り出す繰り出しローラと、上記媒体収容部に収容された複数の媒体１００から上記繰り出しローラにより繰り出される媒体１００（Ｐ）を、弾性力で変形することにより分離させる第１のゲートＧを形成する第１の弾性体（スポンジゴム３０）と、第１のゲートＧ１を通過した複数の媒体１００から上記繰り出しローラにより繰り出される媒体１００（Ｐ）を、弾性力で変形することにより分離させる第２のゲートＧ２を形成する第２の弾性体（ゴム４０）と、を備える。【選択図】図２Ｂ
2014118267.tif 000002
【特許請求の範囲】
【請求項１】
媒体を収容する媒体収容部と、
前記媒体収容部から前記媒体を繰り出す繰り出しローラと、
前記媒体収容部に収容された複数の前記媒体から前記繰り出しローラにより繰り出される前記媒体を、弾性力で変形することにより分離させる第１のゲートを形成する第１の弾性体と、
前記第１のゲートを通過した複数の前記媒体から前記繰り出しローラにより繰り出される前記媒体を、弾性力で変形することにより分離させる第２のゲートを形成する第２の弾性体と、
を備えることを特徴とする媒体繰り出し装置。
【請求項２】
前記第２の弾性体には、切込みが形成され、
前記第２の弾性体は、前記切り込みよりも上側の部分において前記第２のゲートを形成し、前記切込みよりも下側の部分において、前記第２のゲートを通過した複数の前記媒体から前記繰り出しローラにより繰り出される前記媒体を、弾性力で変形することにより分離させる第３のゲートを形成する、
ことを特徴とする請求項１記載の媒体繰り出し装置。
【請求項３】
前記媒体収容部に収容された前記複数の媒体の底面に接触し、該複数の媒体を前記第１のゲートに向けてガイドするガイドプレートを更に備え、
前記第１の弾性体は、前記ガイドプレートの底面から突出するように設けられている、
ことを特徴とする請求項１又は請求項２記載の媒体繰り出し装置。
【請求項４】
前記第１の弾性体は、前記第２の弾性体よりも硬度が低いことを特徴とする請求項１から請求項３のいずれか１項記載の媒体繰り出し装置。
【請求項５】
前記媒体収容部に収容された前記複数の媒体を、前記繰り出しローラによる繰り出し位置側に付勢する付勢機構を更に備え、
前記付勢機構は、
前記媒体に当接する当接部と、
前記当接部に対向するベース部と前記当接部との間に設けられ該当接部を押圧する圧縮スプリングと、
前記当接部と前記ベース部とを連結する連結部と、
前記ベース部と前記連結部との間に配置され、前記圧縮スプリングが圧縮するほど引っ張られて前記圧縮スプリングの付勢力に反する力を発揮する引張スプリングと、
を含む、
ことを特徴とする請求項１から請求項４のいずれか１項記載の媒体繰り出し装置。
【請求項６】
前記媒体収容部に収容された前記複数の媒体を、前記繰り出しローラによる繰り出し位置側に付勢する付勢機構を更に備え、
前記付勢機構は、
前記媒体に当接する当接部と、
前記当接部に対向するベース部と前記当接部との間に設けられ該当接部を押圧する圧縮スプリングと、
を含み、
前記当接部は、前記圧縮スプリングの圧縮方向に直交する面に対し、前記媒体の上面側よりも前記媒体の底面側で前記繰り出し位置側に近くなるように傾いた面で前記媒体に当接する当接プレートを有する、
ことを特徴とする請求項１から請求項４のいずれか１項記載の媒体繰り出し装置。
【請求項７】
前記媒体収容部に収容された前記複数の媒体の上部を、前記繰り出しローラによる繰り出し位置側とは反対側に付勢する媒体上部付勢機構を更に備えることを特徴とする請求項１から請求項６のいずれか１項記載の媒体繰り出し装置。
【発明の詳細な説明】
【技術分野】
【０００１】
本明細書で論じられる実施形態は、媒体を繰り出す媒体繰り出し装置に関する。
【背景技術】
【０００２】
従来、例えば現金自動預け払い機（ＡＴＭ：Auto Teller Machine）において、通帳、出入票（帳票）などの媒体を繰り出す媒体繰り出し装置が知られている。
このような媒体繰り出し装置において、軟質ゲートが変形することにより通帳類を分離する装置（例えば、特許文献１参照）や、通帳を押圧する押え板がスポンジゴム等のゴム質の部材である装置（例えば、特許文献２参照）が知られている。
【０００３】
また、紙葉類を搬送する紙葉類搬送機構におけるローラにおいて、外側がゴムで内側がスポンジの従動ローラ（例えば、特許文献３参照）が知られている。
さらには、媒体繰り出し装置において、繰り出しローラを挟んだ両側に媒体の収容部が配置される装置（例えば、特許文献４参照）が知られている。
【先行技術文献】
【特許文献】
【０００４】
【特許文献１】特開２０１２−０５９１５９号公報
【特許文献２】特開平４−７５９２７号公報
【特許文献３】特開２００４−２７７１７２号公報
【特許文献４】特開２０１１−６８４４９号公報
【発明の概要】
【発明が解決しようとする課題】
【０００５】
図８は、参考技術に係る媒体繰り出し装置２０１の内部構造を示す正面図である。
図８に示す媒体繰り出し装置２０１は、媒体収容部２１０と、繰り出しローラ２２０と、加速ローラ２３０と、分離機構２４０と、センターパネル２８０と、を備える。
【０００６】
媒体繰り出し装置２０１は、例えば現金自動預け払い機（ＡＴＭ）に配置され、媒体１００を繰り出す。媒体１００は、例えば、通帳、出入票（帳票）などである。
図８に示すように、媒体収容部２１０は、例えば、繰り出しローラ２２０を挟んで片側ずつに配置された第１の収容部２１０ａ及び第２の収容部２１０ｂのそれぞれにおいて媒体１００を収容する。媒体収容部２１０は、ステンレス材料からなり、例えば上方から媒体１００が挿入される。
【０００７】
繰り出しローラ２２０は、媒体収容部２１０から繰り出し位置の１枚の媒体１００を繰り出す。繰り出しローラ２２０は、第１の収容部２１０ａ及び第２の収容部１０ｂのそれぞれに配置されている。
【０００８】
加速ローラ２３０は、繰り出しローラ２２０により繰り出された媒体１００を下方に搬送する。
分離機構２４０は、分離用ローラ２４１と、圧縮スプリング２４２と、を含む。
【０００９】
分離用ローラ２４１は、圧縮スプリング２４２により加速ローラ２３０側に付勢される。そして、加速ローラ２３０と圧縮スプリング２４２との間を媒体１００が通過する。
【００１０】
繰り出しローラ２２０により媒体繰り出し装置２０１の外部に繰り出された媒体１００は、搬送ローラ１１０及び搬送ベルト１２０により例えば現金自動預け払い機（ＡＴＭ）内の通帳プリンタなどの他の装置に向けて搬送される。
【００１１】
上述の媒体繰り出し装置２０１では、加速ローラ２３０及び分離機構２４０を配置することによって媒体繰り出し装置２０１の構造が大型化・複雑化している。また、重量が大きいという問題や、部品点数が多いために組立て時間がかかるという問題もある。
【００１２】
１つの側面では、本発明の目的は、構造を簡素化することができる媒体繰り出し装置を提供することである。
【課題を解決するための手段】
【００１３】
開示の媒体繰り出し装置は、媒体を収容する媒体収容部と、前記媒体収容部から前記媒体を繰り出す繰り出しローラと、前記媒体収容部に収容された複数の前記媒体から前記繰り出しローラにより繰り出される前記媒体を、弾性力で変形することにより分離させる第１のゲートを形成する第１の弾性体と、前記第１のゲートを通過した複数の前記媒体から前記繰り出しローラにより繰り出される前記媒体を、弾性力で変形することにより分離させる第２のゲートを形成する第２の弾性体と、を備える。
【発明の効果】
【００１４】
開示の媒体繰り出し装置によれば、構造を簡素化することができる。
【図面の簡単な説明】
【００１５】
【図１】媒体繰り出し装置の内部構造を示す正面図である。
【図２Ａ】図１のＡ部拡大図（その１）である。
【図２Ｂ】図１のＡ部拡大図（その２）である。
【図３】媒体繰り出し装置の内部構造を示す平面図（その１）である。
【図４】媒体繰り出し装置の内部構造を示す平面図（その２）である。
【図５】媒体繰り出し装置の内部構造を示す平面図（その３）である。
【図６】付勢機構を示す平面図である。
【図７Ａ】付勢機構及び媒体上部付勢機構を示す正面図（その１）である。
【図７Ｂ】付勢機構及び媒体上部付勢機構を示す正面図（その２）である。
【図８】参考技術に係る媒体繰り出し装置の内部構造を示す正面図である。
【発明を実施するための形態】
【００１６】
以下、実施の形態に係る媒体繰り出し装置について、図面を参照しながら説明する。
図１は、媒体繰り出し装置１の内部構造を示す正面図である。
図２Ａ及び図２Ｂは、図１のＡ部拡大図である。
【００１７】
図３〜図５は、媒体繰り出し装置１の内部構造を示す平面図である。図４は、図３の平面図から付勢機構６０を取り除いた平面図であり、図５は、図３の平面図から付勢機構６０及び繰り出しローラ２０を取り除いた平面図である。
【００１８】
図６は、付勢機構６０を示す平面図である。
図７Ａ及び図７Ｂは、付勢機構６０及び媒体上部付勢機構７０を示す正面図である。
図１に示す媒体繰り出し装置１は、媒体収容部１０と、繰り出しローラ２０と、第１の弾性体の一例であるスポンジゴム３０と、第２の弾性体の一例であるゴム４０と、を備える。
【００１９】
また、媒体繰り出し装置１は、ガイドプレート５０と、付勢機構６０と、媒体上部付勢機構７０と、センターパネル８０と、可動部９１と、固定部９２と、を備える。
【００２０】
媒体繰り出し装置１は、例えば現金自動預け払い機（ＡＴＭ）内の通帳プリンタに配置され、媒体１００を繰り出す。媒体１００は、媒体繰り出し装置１が通帳プリンタに配置される場合には通帳であるが、出入票（帳票）などの他の媒体であってもよい。
【００２１】
図１に示すように、媒体収容部１０は、例えば、繰り出しローラ２０を挟んで対向するように配置された第１の収容部１０ａ及び第２の収容部１０ｂのそれぞれにおいて媒体１００を収容する。媒体収容部１０には、例えば人の手により上方から媒体１００が挿入される。なお、媒体収容部１０は、第１の収容部１０ａ及び第２の収容部１０ｂの２つの収容部ではなく、単一の収容部に媒体１００を収容するようにしてもよい。
【００２２】
図３〜図５に示すように、媒体収容部１０は、平面視において１辺が開口する四角形状（コ字形状或いはＵ字形状）を呈する第１の外壁１１及び第２の外壁１２を含む。第１の外壁１１と第２の外壁１２とは、上記開口する１辺が対向するように固定されている。第１の外壁１１と第２の外壁１２とは、例えば同一形状の同一部品とすることで、部品共通化を図ることができる。第１の外壁１１及び第２の外壁１２の材料は、例えばプラスチックであり、金属材料よりも軽量化が図られている。
【００２３】
繰り出しローラ２０は、媒体収容部１０から繰り出し位置の１枚の媒体１００（Ｐ）を繰り出す。繰り出しローラ２０が配置される数は、第１の収容部１０ａに収容された媒体１００を繰り出す２つ（図３及び図４参照）と、第２の収容部１０ｂに収容された媒体１００を繰り出す２つとの計４つである。図３及び図４に示すように、２つの繰り出しローラ２０は、ローラ回転軸シャフト９３により連結されている。繰り出しローラ２０は、センターパネル８０を貫通するように設けられている。
【００２４】
なお、第１の収容部１０ａに配置される２つの繰り出しローラ２０は、第２の収容部１０ｂに配置される２つの繰り出しローラ２０との干渉を回避するべく、第２の収容部１０ｂの２つの繰り出しローラ２０よりも上方に設けられている。なお、繰り出しローラ２０の数は、１枚の媒体１００を繰り出すのに、２つ配置されるのではなく、１つだけ配置されても３つ以上配置されてもよい。
【００２５】
図２Ａ及び図２Ｂに示すスポンジゴム３０は、例えば図３〜図５に破線で示すように、各収容部１０ａ，１０ｂ（図３〜図５では第１の収容部１０ａのみ図示）に２つずつ配置される。スポンジゴム３０は、媒体収容部１０に収容された複数の媒体１０から繰り出しローラ２０により繰り出される媒体１００（Ｐ）を、弾性力で変形することにより分離させる第１のゲートＧ１を形成する。ただし、スポンジゴム３０の第１のゲートＧ１は、繰り出し位置Ｐの媒体１００だけでなく同時に複数枚の媒体１００を通過させうる程度に媒体１００を分離させる。これは、繰り出される媒体１００（Ｐ１）がスポンジゴム３０の第１のゲートＧ１を確実に通過できるようにするためである。
【００２６】
スポンジゴム３０は、ガイドプレート５０の底面に設けられ、ガイドプレート５０の底面からセンターパネル８０側に突出するように設けられている。
【００２７】
図２Ａ及び図２Ｂに示すように、ガイドプレート５０は、水平面５０ａと、この水平面５０ａからセンターパネル８０に向けて下方に傾斜した傾斜面５０ｂとを含む。ガイドプレート５０は、媒体収容部１０に収容された複数の媒体１００の底面に接触し、傾斜面５０ｂにおいて、これら複数の媒体１００を第１のゲートＧ１に向けてガイドする。なお、スポンジゴム３０は、水平面５０ａ及び傾斜面５０ｂの両方の下方に位置するようにガイドプレート５０の底面に設けられている。
【００２８】
ガイドプレート５０は、図３〜図５に示すように各収容部１０ａ，１０ｂ（図３〜図５では第１の収容部１０ａのみ図示）に２つ配置される。これら２つのガイドプレート５０は、例えば互いに一体に設けられ、ガイドプレート５０の下方で互いに連結されている。
【００２９】
図２Ａ及び図２Ｂに示すように、ゴム４０は、第１のゲートＧ１を通過した複数の媒体１００から繰り出しローラ２０により繰り出される媒体１００を、弾性力で変形することにより分離させる。ゴム４０には、切込みの一例であるＶ溝４０ａがセンターパネル８０側に開口するように形成されている。
【００３０】
ゴム４０は、Ｖ溝４０ａよりも上側の上側部分４０ｂにおいて第２のゲートＧ２を形成する。上側部分４０ｂの第２のゲートＧ２は、第１のゲートＧ１を通過した複数の媒体１００から繰り出しローラ２０により繰り出される媒体１００を、弾性力で変形することにより分離させる。ただし、上側部分４０ｂの第２のゲートＧ２も、第１のゲートＧ１と同様に、繰り出し位置Ｐの媒体１００だけでなく同時に複数枚の媒体１００を通過させうる。なお、上側部分４０ｂは、Ｖ溝４０ａに媒体１００をガイドするように傾斜しているとよい。
【００３１】
また、ゴム４０は、Ｖ溝４０ａよりも下側の下側部分４０ｃにおいて第３のゲートＧ３を形成する。下側部分４０ｃの第３のゲートＧ３は、第２のゲートＧ２を通過した複数の媒体１００から繰り出しローラ２０により繰り出される媒体１００を、弾性力で変形することにより分離させる。
【００３２】
ゴム４０は、図３〜図５に示すように各収容部１０ａ，１０ｂ（図３〜図５では第１の収容部１０ａのみ図示）において、平面視で２つのスポンジゴム３０の間に２つ配置されている。
【００３３】
図２Ａ及び図２Ｂに示すように、ゴム４０は、可動部９１のうちセンターパネル８０側の面に設けられている。
【００３４】
可動部９１は、ゴム４０と同様に２つ設けられ、固定部９２との間に設けられた図示しない圧縮スプリングによりセンターパネル８０側に付勢されている。これにより、ゴム４０もセンターパネル８０側に付勢されている。固定部９２は、例えばガイドプレート５０と固定されている。なお、２つの可動部９１は、一体の１つの可動部９１であってもよいし、固定部９２の数も１つでも複数でもよい。
【００３５】
スポンジゴム３０を一例とする第１の弾性体の硬度（Ｈ１）は、ゴム４０を一例とする第２の弾性体の硬度（Ｈ２）よりも低い（Ｈ１＜Ｈ２）ことが望ましい。これは、ゴム４０（第２の弾性体）において、繰り出し位置の媒体１００（Ｐ）をより確実に分離させるためであるが、例えば、第１の弾性体と第２の弾性体とで同一硬度（Ｈ１＝Ｈ２）の材料或いは同一材料を用いることも可能であるし、第１の弾性体の硬度を第２の弾性体の硬度よりも高くすること（Ｈ１＞Ｈ２）も可能である。
【００３６】
なお、スポンジゴム３０はガイドプレート５０に設けられ、ゴム４０は可動部９１に設けられる例について説明しているが、スポンジゴム３０及びゴム４０の配置位置は特に限定されない。
【００３７】
図３及び図６に示す付勢機構６０は、媒体収容部１０に収容された複数の媒体１００を、繰り出しローラ２０による繰り出し位置Ｐ側（繰り出しローラ２０側或いはセンターパネル８０側）に付勢する。付勢機構６０は、図３に示すように各収容部１０ａ，１０ｂ（図３では第１の収容部１０ａのみ図示）に配置されている。
【００３８】
付勢機構６０は、当接部６１と、ベース部６２と、圧縮スプリング６３と、連結部６４と、引張スプリング６５と、を含む。ベース部６２に代えて媒体収容部１０の第１の外壁１１及び第２の外壁１２を用いることも可能である。
【００３９】
当接部６１は、媒体１００に当接する。当接部６１は、図７Ａに示すように圧縮スプリング６３の圧縮方向Ｄに直交する面（仮想平面）Ｓに対し、媒体１００の上面側よりも媒体１００の底面側で繰り出し位置Ｐ側（繰り出しローラ２０側或いはセンターパネル８０側）側に近くなるように傾いた面で媒体１００に当接する当接プレート６１ａを有する。
【００４０】
圧縮スプリング６３は、当接部６１に対向するベース部６２と当接部６１との間に２つ設けられて当接部６１を押圧し、ひいては媒体１００を上記のように繰り出し位置Ｐ側に付勢する。
【００４１】
連結部６４は、互いに交差するように設けられた第１の連結バー６４ａ及び第２の連結バー６４ｂを含み、当接部６１とベース部６２とを連結する。
【００４２】
第１の連結バー６４ａは、一端において当接部６１に固定されている。第１の連結バー６４ａの他端部は、ベース部６２に沿って移動可能にベース部６２に固定されている。
【００４３】
第２の連結バー６４ｂは、一端においてベース部６２に固定されている。第２の連結バー６４ｂの他端部は、当接部６１に沿って移動可能に当接部６１に固定されている。
【００４４】
これにより、圧縮スプリング６３の伸縮状態に応じて第１の連結バー６４ａと第２の連結バー６４ｂとのなす角度が変わる。
【００４５】
引張スプリング６５は、連結部６４のうち例えば第１の連結バー６４ａとベース部６２との間に配置されている。引張スプリング６５は、圧縮スプリング６３が圧縮して、第１の連結バー６４ａにおける固定位置がベース部６２における固定位置から遠ざかるほど、引っ張られて引張強さが強くなる。これにより、引張スプリング６５は、圧縮スプリング６３が圧縮するほど引っ張られて圧縮スプリング６３の付勢力に反する力を発揮する。そのため、媒体収容部１０に収容された媒体１００の数が多いときに圧縮スプリング６３の圧縮量が増えて強まる付勢力を、媒体１００の数が少ないとき（圧縮スプリング６３の圧縮量が小さいとき）の圧縮スプリング６３の付勢力に近づけることができる。
【００４６】
図７Ａ及び図７Ｂに示すように、媒体上部付勢機構７０は、媒体上部当接プレート７１と、媒体上部当接プレート用圧縮スプリング７２とを含む。媒体上部当接プレート用圧縮スプリング７２は、媒体上部当接プレート７１を押圧することで、媒体収容部１０に収容された複数の媒体１００の上部を、圧縮スプリング６３の押圧方向（繰り出しローラ２０による繰り出し位置Ｐ側）とは反対側（すなわち、図７Ａに示す圧縮スプリング６３の圧縮方向Ｄ）に付勢する。媒体上部当接プレート７１の当接面７１ａは、当接プレート６１ａと平行にするとよい。
【００４７】
図１に示すように、繰り出しローラ２０により媒体繰り出し装置１の外部に繰り出された媒体１００は、搬送ローラ１１０及び搬送ベルト１２０により例えば現金自動預け払い機（ＡＴＭ）内の通帳プリンタなどの他の装置に向けて搬送される。
【００４８】
以上説明した実施の形態では、スポンジゴム３０（第１の弾性体の一例）は、媒体収容部１０に収容された複数の媒体１００から繰り出しローラ２０により繰り出される媒体１００を、弾性力で変形することにより分離させる第１のゲートＧ１を形成する。また、ゴム４０（第２の弾性体の一例）は、第１のゲートＧ１を通過した複数の媒体１００から繰り出しローラ２０により繰り出される媒体１００を、弾性力で変形することにより分離させる第２のゲートＧ２を形成する。
【００４９】
そのため、繰り出しローラ２０により繰り出される媒体１００を簡素な構成で分離させせることができる。よって、本実施の形態によれば、媒体繰り出し装置１の構造を簡素化することができる。なお、付加的な効果としては、媒体収容部１０の材料がステンレス材料ではなくプラスチック材料であること、媒体収容部１０に互いに同一形状で同一部品である第１の外壁１１及び第２の外壁１２を用いたこと、並びに、加速ローラ２３０及び分離機構２４０を省略したことなどによって、全体として、図１の媒体繰り出し装置１は、図８の媒体繰り出し装置２０１よりも、高さを８．６％低くし、部品点数を３５％削減し、重量を２８％減少させることができる。
【００５０】
また、本実施の形態では、ゴム４０（第２の弾性体の一例）には、Ｖ溝４０ａ（切込みの一例）が形成され、ゴム４０は、上記第２のゲートＧ２をＶ溝４０ａよりも上側の上側部分４０ｂにおいて形成する。また、ゴム４０は、Ｖ溝４０ａよりも下側の下側部分４０ｃにおいて、第２のゲートＧ２を通過した複数の媒体１００から繰り出しローラ２０により繰り出される媒体１００を、弾性力で変形することにより分離させる第３のゲートＧ３を形成する。そのため、繰り出しローラ２０により繰り出される媒体１００を、簡素な構成でより確実に分離させることができる。
【００５１】
また、本実施の形態では、ガイドプレート５０は、媒体収容部１０に収容された複数の媒体１００の底面に接触し、例えば傾斜面５０ｂを含むことで複数の媒体１００を第１のゲートＧ１に向けてガイドする。また、スポンジゴム３０（第１の弾性体の一例）は、ガイドプレート５０の底面から突出するように設けられている。そのため、媒体繰り出し装置１の構造をより簡素化することができるとともに、繰り出しローラ２０により繰り出される媒体１００をより確実に分離させることができる。
【００５２】
また、本実施の形態では、スポンジゴム３０を一例とする第１の弾性体の硬度（Ｈ１）は、ゴム４０を一例とする第２の弾性体の硬度（Ｈ２）よりも低い（Ｈ１＜Ｈ２）。そのため、繰り出しローラ２０により繰り出される媒体１００を、段階的に分離させることでより確実に分離させることができる。
【００５３】
また、本実施の形態では、付勢機構６０は、媒体収容部１０に収容された複数の媒体１００を、繰り出しローラ２０による繰り出し位置Ｐ側に付勢する。また、付勢機構６０は、媒体１００に当接する当接部６１と、この当接部６１に対向するベース部６２と当接部６１との間に設けられ当接部６１を押圧する圧縮スプリング６３と、当接部６１とベース部６２とを連結する連結部６４と、ベース部６２と連結部６４との間に配置され、圧縮スプリング６３が圧縮するほど引っ張られて圧縮スプリング６３の付勢力に反する力を発揮する引張スプリング６５と、を含む。そのため、媒体収容部１０に収容された媒体１００の数が多いときに圧縮スプリング６３の圧縮量が増えても圧縮スプリング６３による付勢力を弱めて、媒体１００の数が少ないとき（圧縮スプリング６３の圧縮量が小さいとき）の圧縮スプリング６３による付勢力に近づけることができる。
【００５４】
また、本実施の形態では、付勢機構６０の当接部６１は、圧縮スプリング６３の圧縮方向Ｄに直交する面Ｓに対し、媒体１００の上面側よりも媒体１００の底面側で繰り出し位置Ｐ側に近くなるように傾いた面で媒体１００に当接する当接プレート６１ａを有する。そのため、媒体１００を傾かせて確実に第１のゲートＧ１にガイドすることができ、繰り出しローラ２０により繰り出される媒体１００をより確実に分離させることができる。
【００５５】
また、本実施の形態では、媒体上部付勢機構７０は、媒体収容部１０に収容された複数の媒体１００の上部を、繰り出しローラ２０による繰り出し位置Ｐ側（圧縮スプリング６３の押圧方向）とは反対側に付勢する。そのため、媒体１００を傾かせて確実に第１のゲートＧ１にガイドすることができ、繰り出しローラ２０により繰り出される媒体１００をより確実に分離させることができる。
【符号の説明】
【００５６】
１  媒体繰り出し装置
１０  媒体収容部
１０ａ  第１の収容部
１０ｂ  第２の収容部
１１  第１の外壁
１２  第２の外壁
２０  繰り出しローラ
３０  スポンジゴム
４０  ゴム
４０ａ  Ｖ溝
４０ｂ  上側部分
４０ｃ  下側部分
５０  ガイドプレート
５０ａ  水平面
５０ｂ  傾斜面
６０  付勢機構
６１  当接部
６１ａ  当接プレート
６２  ベース部
６３  圧縮スプリング
６４  連結部
６４ａ  第１の連結バー
６４ｂ  第２の連結バー
６５  引張スプリング
７０  媒体上部付勢機構
７１  媒体上部当接プレート
７１ａ  当接面
７２  媒体上部当接プレート用圧縮スプリング
８０  センターパネル
９１  可動部
９２  固定部
９３  ローラ回転軸シャフト
Ｇ１  第１のゲート
Ｇ２  第２のゲート
Ｇ３  第３のゲート
１００  媒体
１１０  搬送ローラ
１２０  搬送ベルト
【図１】
2014118267.tif 000003
【図２Ａ】
2014118267.tif 000004
【図２Ｂ】
2014118267.tif 000005
【図３】
2014118267.tif 000006
【図４】
2014118267.tif 000007
【図５】
2014118267.tif 000008
【図６】
2014118267.tif 000009
【図７Ａ】
2014118267.tif 000010
【図７Ｂ】
2014118267.tif 000011
【図８】
2014118267.tif 000012